(57)【要約】【課題】  被爆リスクの無い光計測による生体内情報の測定であっても、個人差による測定ばらつきを抑制できると共に、ノイズが分別された測定精度の高い生体光計測装置の提供。【解決手段】  生体内部に光を照射する光照射部２と、前記照射された光のうち前記生体内部を経由して反射された光を光信号強度として検出する複数の光検出部３と、前記光検出部３で検出された光信号強度の分散を評価し、分散が大きいと判断された光信号強度が検出された光検出部同士の位置関係から、前記検出された光信号強度のうちノイズを分類する光解析部４とが具備されたことを特徴とする生体光計測装置。【選択図】      図３
2007020735.tif 000002
【特許請求の範囲】
【請求項１】
生体内部に光を照射する光照射部と、
前記照射された光のうち前記生体内部を経由して反射された光を光信号強度として検出する複数の光検出部と、
前記光検出部で検出された光信号強度の分散を評価し、分散が大きいと判断された光信号強度が検出された光検出部同士の位置関係から、前記検出された光信号強度のうちノイズを分類する光解析部とが具備されたことを特徴とする生体光計測装置。
【請求項２】
前記光解析部は、前記分類されたノイズ以外の光信号強度同士の位置関係と、光信号強度の大きさから、基準値と測定値に分類することを特徴とする請求項１に記載の生体光計測装置。
【請求項３】
前記光検出部は、前記光照射部から所定の間隔で複数列配置された同距離内に位置する光検出部列で構成されており、前記検出された光信号強度の分散の評価を、前記光検出部列毎に行うことを特徴とする請求項１、又は、２に記載の生体光計測装置。
【請求項４】
前記光解析部は、前記光検出部で検出された光信号強度とその検出位置を記憶する記憶手段と、
前記光検出部で検出された光信号強度の分散を評価する分散評価手段と、
前記分散評価手段により分散が大きいと判断された光信号強度が検出された光検出部の位置を特定する位置特定手段と、
前記位置特定手段により特定された光検出部同士の位置関係から、前記検出された光信号強度のうちノイズを分類する分類手段が具備されたことを特徴とする請求項１に記載の生体光計測装置。
【請求項５】
前記光検出部同士の位置関係は、前記光照射部から同距離に配置された光検出部同士で評価することを特徴とする請求項１から４いずれか１項に記載の生体光計測装置。
【発明の詳細な説明】
【技術分野】
【０００１】
本発明は、光を用いて生体内情報を非侵襲に計測する際に使用する生体光計測装置に関する。
【背景技術】
【０００２】
生体の内部を診断するには様々な手法がある。その一つである光計測は、被爆の問題がなく、波長を選択することにより計測対象である化合物を選択できるという利点を有している。また、装置の小型化・低価格化を実現する構成も可能であり、他の診断装置が主として医療機関で使用されるのに対して、家庭や保健機関での使用も視野に入れて製品化が進められている。しかしながら、現状では、医療診断装置として確立しているＸ線、ＮＭＲ（ＭＲＩ）、超音波エコー、核医学（ポジトロン）の各装置と比較して、生体光計測装置の市場規模は小さい。
【０００３】
この原因の一つとして、生体は光を強く散乱する性質があり、皮膚から入射した光が生体内部の情報を取得して皮膚から出射してきた場合にその部位を正確に特定することが難しい。この問題を解決するために生体内を光が伝播する様子をシミュレーションした結果を利用することが行われている。
【０００４】
一般的に生体は、散乱を繰り返すうちに散乱の異方性が失われて等方散乱に近づき、平均的な光経路の断面は「バナナ状」になるとされている（図１３）。その考えに基づき、光照射部から光検出部までの距離（Ｔ１、Ｔ２）から光の到達深さ（Ｄ１、Ｄ２）を限定する考え方が生体光計測で使われている。
【０００５】
この考え方により、光源・検出器の間隔を２通りに設定し、近距離で表皮情報を計測し、遠距離で計測した皮下情報を補正する装置も提案されている（例えば、特許文献１）。
【０００６】
しかしながら、このように計測部位を限定して解析しているにも関わらず、信号の再現性が低く、解析に耐える高品質の信号が得られていないという現状がある。
【０００７】
高品質の信号が得られない原因について次に述べる。
【０００８】
光源・検出器の間隔を調整してデータを計測し、ある位置での吸収体の有無や吸収強度を計測する場合、吸収のない場合の基準値が必要となる。しかしながら、対象となる生体には血管の位置や皮膚の色、皮膚状態など個人差があり、それぞれ個人に合った基準値の計測が困難である。具体的には、計測対象として注目するヘモグロビンとは別の吸収体、例えばメラニン（皮膚上の黒点）が光経路上にあると、ヘモグロビンの吸収にメラニンの吸収（この目的からするとノイズ）が加わり、この位置での吸収が大きくなっているように測定されてしまうため、ヘモグロビンの状態だけを図示したいという目的に対してこの結果は間違った解釈を与える恐れがある。また、モデルサンプルを利用して吸収体のない位置で基準値を測定する方法も、皮膚色や皮膚状態の個人差が考慮されないという問題が生じていた。
【０００９】
また、ノイズの問題に対して、発光器と、少なくとも２つの発光器の周辺に同心的に設けられたほぼ環状の光検出ターミナルを備えることで環状検出器の少なくとも一部は、不可解な妨害を受けないため、センサの信号対ノイズの比を、著しく改善することができるセンサが提案されている（例えば、特許文献２）。しかしながら、特許文献２に記載のセンサは、空間的に検出器を増やして、発光器から等距離にある点の信号を複数測定し、この平均を取ることで雑音による影響を軽減させることを目的としており、基準値、測定値、ノイズが平均により平滑化されてしまう可能性がある。
【特許文献１】特開２０００−２３７１９５公報
【特許文献２】特表平１１−５０７５６８号公報
【発明の開示】
【発明が解決しようとする課題】
【００１０】
本発明は、以上の問題点を鑑みてなされたもので、被爆リスクの無い光計測による生体内情報の測定で、個人差による測定ばらつきを抑制できると共に、ノイズが完全に分類された測定精度の高い生体光計測装置を提供することを目的としている。
【課題を解決するための手段】
【００１１】
本発明に記載の生体光計測装置は、生体内部に光を照射する光照射部と、前記照射された光のうち前記生体内部を経由して反射された光を光信号強度として検出する複数の光検出部と、前記光検出部で検出された光信号強度の分散を評価し、分散が大きいと判断された光信号強度が検出された光検出部同士の位置関係から、前記検出された光信号強度のうちノイズを分類する光解析部とが具備されたことを特徴とする。
【発明の効果】
【００１２】
本発明によれば、被爆リスクの無い光計測による生体内情報の測定で、個人差による測定ばらつきを無くし、ノイズが完全に分類された測定精度の高い生体光計測装置を実現できる。
【発明を実施するための最良の形態】
【００１３】
（第１の実施形態）
以下、本発明に関わる第１の実施形態を、図面を用いて詳細に説明する。なお、以下の説明において、略同一の機能及び構成を有する構成要素については、同一符号を付する。図１は、本発明に関わる生体光計測装置の一例を示す概念図、図２は、図１のＡ−Ａ’方向に関わる断面図、図３は、図２の光解析部４に係る構成図である。
【００１４】
本実施形態に関わる生体光計測装置１は、例えば、図１から図３に示すように、光照射部２、光検出部３、光解析部４を具備している。
【００１５】
光照射部２は、図示しない制御部からの駆動信号に基づいて強度を所定の周期で変動する光を発生する発光素子、例えば、レーザダイオード５が取り付けられており、この発光素子により発光された光を生体に照射する。なお、光照射部２から照射される光の波長は、計測対象（例えば、血液、骨、脂肪、筋肉等）により適時最適な吸収されやすい帯域の光を使用することができ、また、同時に２種類以上の波長を有する光を同時に照射することもできる。なお、光照射部２は、例えば、外部にある発光素子の光源から光ファイバー等により光照射部２に導入する構成にしてもよい。
【００１６】
光検出部３は、光照射部２から照射された光のうち生体内部を経由して反射された光を光信号強度として検出する光検出素子、例えば、フォトダイオード６が備え付けられている。なお、本実施形態では、光信号強度の検出としてフォトダイオードを用いた例を説明するが、これに限定されるものではなく、例えば、ＣＣＤや光電子増倍管その他の光電変換機能を有する検出素子を使用することができる。
【００１７】
さらに、光検出部３は光照射部２の周辺に複数配置されている。例えば、図１に示すように、光照射部２を中心として同心円状に配置されてもよく、また、その一部の光検出部３を無くして、半同心円状に複数配置させてもよい。また、図４、図５に示すように、光照射部２を中心として、上下左右４方向に光検出部３を配置させてもよく、更に、図６に示すように、上下左右４方向のみならず、斜め方向を加えた６方向に光検出部３を配置させてもよい。また、光照射部２から遠ざかる二方向に沿って光検出部３を配列されたものであってもよく、光照射部２を中心として二次元マトリックス上に光検出部３を配列させたものでもよい。さらに、これらの光検出部３同士は、等間隔でそれぞれ配置してもよく、また、異なる間隔でそれぞれ配置してもよい。
【００１８】
光解析部４は、光検出部３で検出された複数の光信号強度を解析して、基準値と測定値とノイズに分類する。詳しくは、図３に示すように、光解析部４は、記憶手段１０１、分散評価手段１０２、位置特定手段１０３、分類手段１０４が具備されている。
【００１９】
記憶手段１０１は、光検出部３で検出された光信号強度とその光検出部３の検出位置を記憶する。
【００２０】
分散評価手段１０２は、光検出部３で検出された光信号強度の分散を評価する。ここでいう分散の評価は、図７から図９に示すように、光検出部３で検出された複数の光信号強度を用いて、例えば、ヒストグラムを用いて評価する。また、単に、検出された光信号強度の平均値、標準偏差等を算出して評価しても良い。
【００２１】
このような分散の評価で検出した光信号強度の分散（ばらつき）の大きさを評価する。例えば、図７に示すように、明らかに、頻度分布から外れている値を分散が大きい場合（α）として、判断してもよい。また、図８に示すように、検出した光信号強度の平均値、及び、標準偏差を算出して、平均値±（ｎ×標準偏差）（ｎ＝１、２、３）の範囲を設けて、その範囲外の光信号強度を分散が大きい場合（α−、α＋）として判断してもよい。また、図９に示すように、２つのピークを有する場合は、ピーク毎に、それぞれ、平均値、及び、標準偏差を算出して、平均値±（ｎ×標準偏差）（ｎ＝１、２、３）の範囲を設けて、それぞれにおいて、分散が大きい場合（α）として判断してもよい。また、図７から図９のようにヒストグラムを算出せず、単に、検出した光信号強度の平均値、及び、標準偏差を算出して、平均値±（ｎ×標準偏差）（ｎ＝１、２、３）の範囲を設けて、分散を評価しても良い。なお、分散が大きい場合と判断されない光信号強度は、分散が小さい場合として判断される。
【００２２】
位置特定手段１０３は、分散評価手段１０２で分散が大きい場合と判断された光信号強度を検出した光検出部３の位置を特定する（例えば、図１０）。なお、図８に示すように、分散が大きく光信号強度が小さい場合（α−）、分散が大きく光信号強度が大きい場合（α＋）の両方が検出された場合は、図１０（ａ）に示すように、それぞれ別種として、位置を測定する。
【００２３】
分類手段１０４は、位置特定手段１０３で特定された光検出部３の位置関係から、検出された光信号強度のうちノイズを分類する。
【００２４】
なお、ここでいうノイズとは、計測対象としている吸収体と、計測対象としている吸収体以外の吸収体（例えば、メラニン等）の両方を経由した光信号強度、又は、特定できない他の要因により異常に大きい光信号強度を示す。
【００２５】
具体的には、位置特定手段１０３で特定された光検出部３が複数隣接していない関係である場合、例えば、図１０（ｂ）に示すように、孤立している位置関係にある場合には、その方向には計測対象となる吸収体以外の別の吸収体、異物等が存在しているか、又は、特定できない他の要因により異常に大きい光信号強度を検出したものと判断することができ、その位置で測定された光信号強度はノイズとして分類される。
【００２６】
また、位置特定手段１０３で特定された光検出部３が複数隣接している位置関係である場合、例えば、図１０（ａ）に示すようにβ−、β＋が複数隣接している位置関係にある場合は、その光信号強度は、基準値、又は、測定値のどちらかに分類させる。
【００２７】
ここでいう基準値とは、光計測において、吸収が無い場合の光信号強度を示す。また、測定値とは、光計測において、計測対象としている吸収体（例えば、ヘモグロビン等）を、経由した光信号強度を示す。
【００２８】
分散評価手段１０２で、分散が小さい場合として判断された光信号強度は、基準値、又は、測定値のどちらかに分類される。
【００２９】
さらに、基準値、又は、測定値のどちらかに分類された光信号強度は、それぞれの光信号強度同士の大きさで、基準値、又は、測定値のどちらか一方に分類される。すなわち、光信号強度が大きい場合は、その方向には、吸収体、異物等が存在しないと判断できるため基準値として、一方、光信号強度が小さい場合には、計測対象の吸収体が存在していると判断できるため、測定値となる。
【００３０】
分類手段１０４における、前記光検出部同士の位置関係は、前記光照射部から同距離に配置された光検出部同士で評価することが好ましい。すなわち、光照射部２から同距離に配置された光検出部３同士で分類することが好ましい。光計測では、前述したように、光照射部２から光検出部３までの距離に応じて、計測する生体内の深さが変動するため、光照射部２から同距離にある光検出部３同士、すなわち、計測した生体の同じ深さを経由した光検出部同士の位置関係で判断することで、より高精度にノイズを分類することができる。
【００３１】
以上のように、第１の実施形態に係る生体光計測装置は、光検出部３で検出された光信号強度の分散を評価し、分散が大きいと判断された光信号強度が検出された光検出部同士の位置関係から、前記検出された光信号強度のうちノイズを分類する光解析部を備えていることで、基準値、測定値等を平均化することなく、ノイズのみを完全に分類することができるため、より測定精度の高い基準値、又は、測定値を分類することができる。
【００３２】
さらに、ノイズ以外の光信号強度同士の位置関係と、光信号強度の大きさから、基準値と測定値に分類することで、１回の測定で、基準値と、測定値を検出して、分類することができるため、個人差によるばらつきを無くし、かつ、ノイズが完全に分類された、より測定精度の高い基準値、及び、測定値を分類することができる。
【００３３】
（第２の実施形態）
次に、本発明の第２の実施形態における生体光計測装置を、図１１を用いて説明する。
【００３４】
本実施形態の生体光計測装置は、第１の実施形態における光解析部の分散評価手段１０２、位置特定手段１０３、分類手段１０４が異なるのみで、その他の部分は、第１の実施形態と同様なため、説明を省略する。
【００３５】
本実施形態の生体光計測装置における分散評価手段１０２は、例えば、図１１に示すように、光照射部２から所定の間隔で複数列配置された同距離内に位置する光検出部３の集合列３１、３２、・・・（以後、これを光検出部列という）毎に、それぞれ分散を評価する。
【００３６】
分散の評価は、第１の実施形態と同様なため、説明を省略する。
【００３７】
位置特定手段１０３は、第１の実施形態と同様に、分散評価手段１０２で分散が大きいと判断された光信号強度を検出した光検出部の位置を、それぞれ光検出部列毎に特定する。
【００３８】
分類手段１０４は、位置特定手段１０３で特定された光検出部３の位置関係から、それぞれ光検出部列毎に、検出された光信号強度のうちノイズを分類する。
【００３９】
具体的には、例えば、光照射部２から一番目に近い光照射部から同距離に配置された光検出部列３１（以下、これを第一の光検出部列という）の光検出部で検出された光信号強度を用いて、分散を評価し、分散が大きいと判断された光信号強度が検出された光検出部同士の位置関係が、複数隣接していない関係である場合、すなわち、孤立している位置関係にある場合は、その方向には計測対象となる吸収体以外の別の吸収体、異物等が存在しているか、又は、特定できない他の要因により異常に大きい光信号強度を検出したものと判断することができ、その位置で測定された光信号強度はノイズとして分類する。
【００４０】
さらに、光照射部２から二番目に近い同距離にある光検出部列３２（以下、これを第二の光検出部列という）の光検出部３で検出された光信号強度を用いて、分散を評価し、第一の光検出部列と同様にノイズを分類する。
【００４１】
また、位置特定手段１０３で特定された光検出部３が複数隣接している位置関係にある場合は、その光信号強度は、基準値、又は、測定値のどちらかに分類される。
【００４２】
なお、分散評価手段１０２で、分散が小さい場合として判断された光信号強度は、基準値、又は、測定値のどちらかに分類される。
【００４３】
さらに、基準値、又は、測定値のどちらかに分類された光信号強度は、それぞれの光信号強度同士の大きさで基準値、又は、測定値のどちらか一方に分類される。すなわち、全光検出部列でノイズとして分類された光信号強度以外の光信号強度同士でその大きさを比較し、光信号強度が大きい場合は、基準値として、一方、光信号強度が小さい場合には、測定値として分類する。
【００４４】
このように、本発明の第二の実施形態に係る光計測装置は、光検出部列毎に、分散を評価して、ノイズを分類し、ノイズとして分類された光信号強度以外の光信号強度同士で比較することで、光照射部２から光検出部３までの距離に応じて、すなわち、計測する生体内の深さに応じて、例えば、第一の光検出部列は、基準値、又は、第二の光検出部列では、測定値とそれぞれ分類することが可能となり、生体の測定箇所に応じて、的確に、基準値、及び、測定値を、分類することができる。
【００４５】
（第３の実施形態）
次に、本発明の第３の実施形態における生体光計測装置を説明する。
【００４６】
本実施形態の生体光計測装置は、第２の実施形態における光解析部の分類手段１０４が異なるのみで、その他の部分は、第２の実施形態と同様なため、説明を省略する。
【００４７】
第３の実施形態に係る分類手段１０４は、第２の実施形態と同様に、位置特定手段１０３で特定された光検出部３の位置関係から、それぞれ光検出部列毎に、検出された光信号強度のうちノイズを分類する。
【００４８】
ノイズを分類後、各光信号強度同士の大きさの比較を行わずに、測定部位における表面状態に応じて、基準値、測定値を分類する。例えば、皮膚上に血管が見えない位置を、光照射部２と第一の光検出部列３１の間に配置させた場合は基準値として、また、皮膚上に血管が見える位置を、光照射部２と第一の光検出部列３１の間に配置した場合は測定値として分類し、第二の光検出部列３２以降で得られた光信号強度を、第一の光検出部列で分類した以外のものに分類する。これにより、光信号強度の大きさを比較すること無しに、基準値、測定値を分類するため、基準値、測定値の大きさを比較する制御回路等が無い、より安価な光計測装置を提供することができる。
【００４９】
このように、第２、第３の実施形態のように、光照射部２からの距離に応じて、基準値、又は、測定値をそれぞれ設定することで、例えば、第一の光検出部列で、表皮の厚みに該当する距離に設定して測定した結果を被験体の基準値とし、第二の光検出部列を表皮の厚みよりやや大きい値に該当する距離に設定して測定した結果を毛細血管の測定値として分類することができる。
【００５０】
更に、測定の際に、ヘモグロビンの吸収波長に対応させた測定波長に加えて、酸化ヘモグロビンの吸収波長に対応させた測定波長を用いると、毛細血管における血液量と酸素飽和度の両方の生体情報を得ることができる。
【００５１】
また、第二の光検出部列の外側に、図示しない光照射部２から三番目に近い距離の同距離内にある光検出部（以下、これを第三の光検出部列という）を設け、この第三の光検出部列を真皮の厚みよりやや大きい値に該当する距離に設定すると、これは管状の血管中にある血液を測定することすることができ、また、静脈と動脈についても、拍動を利用することで、どちらが測定部位に存在するかが判別することができる。
【００５２】
また、第一の光検出部列で検出された光信号強度を基準値として、毛細血管の深さ（０．２〜０．３ｍｍ）に対応する光照射部−光検出部の距離に設定した光検出部列（例えば、第二の光検出部列）と、動脈（場所によって１ｍｍから数ｍｍ、１ｃｍを超える深部にある動脈は計測対象としない）の深さに対応する光照射部−光検出部の距離に設定した光検出部列（例えば、第三の光検出部列）を用い、酸化ヘモグロビンとヘモグロビンの等吸収点である８０５ｎｍをはさんで長波長と短波長のそれぞれで１波長ずつ選んだ光源（例えば７６０ｎｍと８４０ｎｍ）に対して拡散反射光を計測する。この２波長の拡散反射光強度を光検出部毎に計測し、基準値と測定値から吸収強度を求めることができる。こうして得た相対的な血流量と酸素飽和度を動脈（供給時）と毛細血管（消費時）で比較し、体温や自覚症状など他の生体データと比較することで、体調を検査することも可能である。
【００５３】
次に、本発明の実施形態に係る生体光計測装置を用いた生体光計測方法を説明する。
【００５４】
例えば、図１に示すような生体光計測装置１を用いて、所望の測定部位に密着させて、光照射部２から計測対象に応じた所望の波長の光を生体内に照射する。
【００５５】
次に、光照射部２から照射された光のうち生体内部を経由して反射された光を光検出部３で光信号強度として検出する。
【００５６】
検出された光信号強度とその検出位置をそれぞれ記憶する。
【００５７】
次に、光検出部３で検出された光信号強度の分散を評価する。
【００５８】
分散の評価は、検出した光信号強度の平均値（ＡＶＮ）と標準偏差（σ）を算出して、例えば、ＡＶＮ±１σの範囲内に入る分散が小さい光信号強度をグループＡとして、ＡＶＮ±１σの範囲外の分散が大きい光信号強度をグループＢとしてそれぞれ定義する。さらに、グループＢにおいて、ＡＶＮ＋１σより大きい光信号強度がある場合は、Ｂ＋、ＡＶＮ−１σより小さい値がある場合は、Ｂ−とそれぞれ定義する。
【００５９】
分散の評価において、グループＢ（Ｂ＋、Ｂ−を含む）と定義された光信号強度が検出された光検出部３の位置を、例えば、図１２に示すように、それぞれ特定する。
【００６０】
次に、特定された光検出部３の位置関係から、検出された光信号強度のうちノイズを分類する。
【００６１】
例えば、図１２（ａ）に示すように、Ｂ＋、又はＢ−と特定された光検出部の位置が、互いに複数隣接した位置関係（３ｂ、３ｃ、３ｉ、３ｊ）となっていた場合、その特定された光信号強度は、値Ｂとして解析処理手段から除外される。その後、残った光信号強度から再び、平均値（ＡＶＮ）、及び、標準偏差（σ）を算出し、グループＡとグループＢ（Ｂ＋、Ｂ−）に分類し、グループＢ（Ｂ＋、Ｂ−）と特定された光検出部が、再び、複数隣接した位置関係となっている場合は、値Ｂ’として解析処理手段から除外され、例えば、図１２（ｂ）に示すように、複数隣接している状態が無くなるまで同様の解析を繰り返す。
【００６２】
以上の解析を繰り返し、最終的に互いに複数隣接した位置関係にないグループＢ（Ｂ−、Ｂ＋）と特定された光検出強度は、ノイズとして分類される。
【００６３】
最終的にグループＡとして分類された光信号強度は、値Ａとして分類され、値Ａと、値Ｂは、それぞれの光信号強度同士の大きさで基準値であるか測定値であるかを分類する。すなわち、光信号強度が大きい値は、その方向には、吸収体、異物等が存在しないと判断できるため、これが基準値として分類され、一方、光信号強度が小さい値は、計測対象の吸収体が存在していると判断されるため、これが測定値として分類される。なお、値Ｂが、Ｂ、Ｂ’と複数存在する場合は、すべての値のうち、最も大きい光信号強度を基準値として、その他を測定値としてそれぞれ分類する。
【００６４】
以下、本発明を実施例に基づきさらに具体的に説明するが、本発明は下記の実施例により限定されるものではない。
【実施例１】
【００６５】
測定対象を血液とし、吸収体としてヘモグロビンを選び、装置性能を評価する際の測定対象として、下記のモデルサンプルを準備した。
【００６６】
シリコーン樹脂を母材とし、散乱体（１０％脂肪球分散液、製品名：イントラリピッド）と吸収体（色素）を分散させた後に硬化させ、脂肪と同じ光学定数（散乱係数１０ｃｍ−１・吸収係数０．０５ｃｍ−１）とした。このサンプルを２ｍｍ厚みにスライスした薄板を用意する一方、ブロック表面に幅３ｍｍ、深さ３ｍｍの溝を作製し、この中に空気が残らないように注意しながら測定対象となるモデル血液を注入し、モデルサンプルとした。モデル血液はヘモグロビンと吸収スペクトルが一致する色素の水溶液を用いた。さらに、ブロック上に薄板を注意深く置いて空気層ができないように密着させた。
【００６７】
計測に用いる生体光計測装置は、発光素子として、測定波長をヘモグロビンの吸収帯と合わせて７６０nmとし、発光素子として近赤外ＬＤ（波長７６０nm、出力２０ｍＷ）、検出素子としてＳｉフォトダイオード、光を転送する素子として光ファイバー（５００μｍ径）を選んだ。光検出部は、光照射部を中心とし、中心から半径２ｍｍの円周上に６個の光検出部を等間隔で配置（第一の検出部列）し、中心から半径１０ｍｍの円周上に３６個の光検出部を等間隔に配置した（第二の検出部列）構成とした。
【００６８】
モデルサンプルの表面にごみや傷のない位置を選んで、この生体光計測装置を密着させて、連続光を発振させ、ファイバーで受光した光をＳｉフォトダイオードで検出した。光源ファイバーと受光ファイバーの中心位置に検出した光量を割り付け、第一の光検出部列で得た６データと第２の検出器列で得た３６データについて、それぞれの光検出部列毎に、平均値（ＡＶ１、ＡＶ２）と標準偏差（σ１、σ２）を求め、平均値±１σの範囲（ＡＶ１±σ１、ＡＶ２±σ２）にて分散を評価し、光検出部列毎に基準値（ＲＥＦ１ 、ＲＥＦ２）、測定値、ノイズに分類した。
【００６９】
結果、第１の検出器列から得られたデータは基準値（ＲＥＦ１）とノイズに分類され、第２の検出器列から得られたデータは基準値（ＲＥＦ２）と測定値、ノイズに分類された。第２の検出器列に対する基準値が得られた位置と測定値が得られた位置を光検出部の番号とそれぞれ対応付けると、測定値はモデル血液が通っている溝の場所、基準値は溝がない場所に対応していることが確認された。
【実施例２】
【００７０】
測定対象として健康なボランティア（男性、２５歳）を選び、測定部位としては動脈と皮膚との距離が近い指先や手首内側、前腕部内側とした。
【００７１】
計測に用いる生体光計測装置は、測定波長をヘモグロビンと酸化ヘモグロビンの吸収帯と合わせて７６０nmと８４０ｎｍとし、発光素子として近赤外ＬＤ（出力２０ｍＷ）、検出素子としてＳｉフォトダイオード、光を転送する素子として光ファイバー（２００μｍ径）を選んだ。各ＬＤからそれぞれファイバーで導いてきた光は切り替え器を介して順次入射光として用いた。光検出部は、光照射部を中心とし、中心から半径３００μｍの円周上に６個の光検出部を等間隔で配置し（第一の検出部列）し、中心から半径２ｍｍの円周上に１８個の光検出部を等間隔に配置し（第二の検出部列）、更に中心から半径４ｍｍの円周上に３６ヶのファイバーヘッドを等間隔に配置した（第３の検出部列）。
【００７２】
健康なボランティア（男性、２５歳）の方の皮膚上に黒点（ほくろやあざ）のない位置を選んで装置を密着させて、連続光を発振させ、ファイバーで受光した光をＳｉフォトダイオードで検出した。光源ファイバーと受光ファイバーの中心位置に検出した光量を割り付け、第１の検出器列で得た６データ、第２の検出器列で得た１８データ、第３の検出器列で得た３６データについてそれぞれ平均値（ＡＶ１、ＡＶ２、ＡＶ３）と標準偏差（σ１ 、σ２、σ３）を求め、平均値±１σの範囲（ＡＶ１±σ１、ＡＶ２±σ２、ＡＶ３±σ３）にて分散を評価し、光検出部列毎に基準値（ＲＥＦ１ 、ＲＥＦ２、ＲＥＦ３）、測定値、ノイズに分類した。
【００７３】
結果、第１の検出部列から得られたデータは基準値（ＲＥＦ１）とノイズに、第２の検出部列から得られたデータは測定値とノイズ、第３の検出部列から得られたデータはそれぞれ基準値（ＲＥＦ３）と測定値、ノイズに分類された。第２の検出部列から得られたデータを基準値ではなく測定値にしたのは、毛細血管が遍在していることを考慮したためであり、基準値（ＲＥＦ１）の強度を調整したものをＲＥＦ２の計算値として用いた。第３の検出部列に対する基準値が得られた位置と測定データが得られた位置を光検出部の番号と対応付けると、測定値は動脈が通っている場所（超音波診断装置のドップラー測定による血流の拍動から確認）に対応していることが確認された。今回の結果では超音波画像で得られた血管径よりも少し広がって測定された。
【００７４】
また、こうして得たＲＥＦ２、ＲＥＦ３とそれぞれの測定データから、毛細血管と動脈での相対的な血流量と酸素飽和度を求めた。ボランティアの手を冷やし、常温に戻っていく過程で血流量を計測し、赤外カメラで計測した温度と対応させたところ、指先の温度と毛細血管の血流量の間に相関が見られた。
【００７５】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【産業上の利用可能性】
【００７６】
以上、本発明によれば、被爆リスクのない光を用いて計測位置・深さを解析することができ、また、他の診断装置よりも安価な構成にする場合に、高い安全性を確保しつつ、解析に耐える高品質の信号を取得することができる生体光計測装置を実現することができる。
【図面の簡単な説明】
【００７７】
【図１】本発明に関わる生体光計測装置を示す概念図
【図２】図１に示す生体光計測測定装置のＡ−Ａ’方向に関わる断面図
【図３】図１に示す光解析部を説明する概念図
【図４】本発明に関わる生体光計測装置の一例を示す概念図
【図５】本発明に関わる生体光計測装置の一例を示す概念図
【図６】本発明に関わる生体光計測装置の一例を示す概念図
【図７】本発明に係わる分散評価手段の一例を示す概念図
【図８】本発明に係わる分散評価手段の一例を示す概念図
【図９】本発明に係わる分散評価手段の一例を示す概念図
【図１０】本発明に係わる位置特定手段の一例を示す概念図
【図１１】本発明に係わる光検出部列を説明する概念図
【図１２】本発明に係わる位置特定手段の一例を示す概念図
【図１３】光計測における平均的な光経路を示す断面図
【符号の説明】
【００７８】
１…生体光計測装置、２…光照射部、３…光検出部、３１…第一の光検出部列、３２…第二の光検出部列、４…光解析部
【図１】
2007020735.tif 000003
【図２】
2007020735.tif 000004
【図３】
2007020735.tif 000005
【図４】
2007020735.tif 000006
【図５】
2007020735.tif 000007
【図６】
2007020735.tif 000008
【図７】
2007020735.tif 000009
【図８】
2007020735.tif 000010
【図９】
2007020735.tif 000011
【図１０】
2007020735.tif 000012
【図１１】
2007020735.tif 000013
【図１２】
2007020735.tif 000014
【図１３】
2007020735.tif 000015